(57)【要約】      （修正有）【課題】生分解性素材をフィルタ素材として用いて地球環境に対して公害をもたらさない一方で、フィルタ性能の一層の向上図った電子機器シャーシを提供する。また、この電子機器シャーシを用いるに好適する電子機器ラック装置を提供する。【解決手段】電子機器シャーシ２０Ａは、電子機器を装備する電子機器シャーシ本体２１と、この電子機器シャーシ本体２１の前方に設けたフィルタ装置とを具備する。電子機器シャーシ本体２１は、フィルタ装置を取り付ける開口２１ａ１を備え、フィルタ装置は、開口２１ａ１を通して取り付けられるフィルタケース２５ａと、このフィルタケース２５ａに着脱自在に取り付けられ、天然繊維を素材として形成される編み目の大きい第１のフィルタ２５ｂ、この第１のフィルタ２５ｂの後方に位置する編み目の小さい第２のフィルタおよびこの第２のフィルタの後方に位置するファン装置とを備える。【選択図】  図１
2008117852.tif 000002
【特許請求の範囲】
【請求項１】
電子機器を装備する電子機器シャーシ本体と、この電子機器シャーシ本体の前方に設けたフィルタ装置とを具備し、
前記電子機器シャーシ本体は、前記フィルタ装置を取り付ける開口を備え、
前記フィルタ装置は、前記開口を通して取り付けられるフィルタケースと、このフィルタケースに着脱自在に取り付けられ、天然繊維を素材として形成される編み目の大きい第１のフィルタ、この第１のフィルタの後方に位置する編み目の小さい第２のフィルタおよびこの第２のフィルタの後方に位置するファン装置とを備えたことを特徴とする電子機器シャーシ。
【請求項２】
電子機器を装備する電子機器シャーシ本体と、この電子機器シャーシ本体の前方に設けたフィルタ装置と、前記電子機器シャーシ本体の後方に設けられたファン装置とを具備し、
前記フィルタ装置は、前記電子機器シャーシ本体の前方に設けられる開口を通して取り付けられるフィルタケースと、このフィルタケースに着脱自在に取り付けられ、天然繊維を素材として形成される編み目の大きい第１のフィルタおよびこの第１のフィルタの後方に位置する編み目の小さい第２のフィルタとを備えたことを特徴とする電子機器シャーシ。
【請求項３】
前記第１のフィルタおよび第２のフィルタとの間に所要の隙を設けたことを特徴とする請求項１または２記載の電子機器シャーシ。
【請求項４】
前記フィルタは、天然繊維にポリ乳酸を混入して形成したことを特徴とする請求項１または２記載の電子機器シャーシ。
【請求項５】
前記フィルタは、二酸化炭素の吸収率の高いケナフ材を素材として形成されたことを特徴とする請求項１または２記載の電子機器シャーシ。
【請求項６】
前記フィルタケースは、天然繊維を素材として形成されたことを特徴とする請求項１または２記載の電子機器シャーシ。
【請求項７】
前記フィルタケースは、天然繊維素材にポリ乳酸を混入して形成されたことを特徴とする請求項６記載の電子機器シャーシ。
【請求項８】
電子機器を装備する複数の電子機器シャーシと、この複数の電子機器シャーシを収納する電子機器ラック本体とを具備し、
前記複数の電子機器シャーシは、それぞれの電子機器シャーシ本体の前方に設けられたフィルタ装置を備え、
前記フィルタ装置は、前記電子機器シャーシ本体に直接取り付けられるフィルタケースと、このフィルタケースに着脱自在に取り付けられ、天然繊維を素材として形成される編み目の大きい第１のフィルタ、この第１のフィルタの後方に位置する編み目の小さい第２のフィルタおよびこの第２のフィルタの後方に位置するファン装置とを備え、
前記電子機器ラック本体には、前記ファン装置により吸入された外気を前記電子機器ラック本体内から外へ放出する排気孔を設けたことを特徴とする電子機器シャーシを用いた電子機器ラック装置。
【請求項９】
前記電子機器ラック本体に設けた排気孔は、前記電子機器ラック本体の天井部および背面部の少なくとも一方に設けられたことを特徴とする請求項８記載の電子機器シャーシを用いた電子機器ラック装置。
【請求項１０】
電子機器を装備する複数の電子機器シャーシと、この複数の電子機器シャーシを収納する電子機器ラックとを具備し、
前記それぞれの電子機器シャーシは、この電子機器シャーシ本体の前方に設けられたフィルタ装置と、前記電子機器シャーシ本体の後方に設けられたファン装置とを備え、
前記フィルタ装置は、前記電子機器シャーシ本体に直接取り付けられるフィルタケースと、このフィルタケースに着脱自在に取り付けられ、天然繊維を素材として形成される編み目の大きい第１のフィルタおよびこの第１のフィルタの後方に位置する編み目の小さい第２のフィルタとを備え、
前記電子機器ラックには、前記複数の電子機器シャーシのそれぞれのファン装置により吸入された外気を前記電子機器ラック内から外へ放出する排気孔を設けたことを特徴とする電子機器シャーシを用いた電子機器ラック装置。
【発明の詳細な説明】
【技術分野】
【０００１】
この発明は、発熱を伴う電子機器を装着すると共に電子機器を冷却可能に設けられるフィルタ装置を備えた電子機器シャーシに係るもので、特にフィルタ装置を使用後に廃棄しても公害の生じない素材が用いられる地球環境にやさしい電子機器シャーシおよびこの電子機器シャーシを用いた電子機器ラック装置に関する。
【背景技術】
【０００２】
従来、この種のフィルタ装置は、ビル空調用や車載用等として用いられるものとして、フィルタ素材の材質や厚さによってフィルタ装置として空気透過性に影響が及んでいた。また、フィルタ素材として再利用可能なものが用いられたり、廃棄した場合にも公害に至らないものが選定利用されるようになってきた。例えば、無公害な天然繊維、再生繊維、ポリ乳酸繊維を生分解繊維が用いられている。
【０００３】
従来のこの種のフィルタ装置として、単純に生分解繊維を使用してフィルタ素材を形成したのでは、剛性や強度が十分でなく、プリーツ加工（拠り折り加工）をした場合には、潰れが生じやすく圧損が高くなる等、素材の性能が損なわれることがある。一方では、生分解性のない繊維を生分解性繊維と混合しても、短期間では満足な生分解性を得ることが困難であった。また、極太の生分解性繊維を不織布化したものを使用する場合は、プリーツ加工性に必要な十分な硬さを薄いフィルタ素材厚みで且つ低目付で実現することは困難であり、結局のところ、高性能な生分解性素材を作ることは困難であった。そこで、埋没廃棄に優れ、また、焼却廃棄の場合には、燃焼温度の低い生分解性を有する素材を用いることによって地球環境の保全にも寄与することができるようにしたものが出現している。（例えば、特許文献１参照）。
【０００４】
従来のフィルタ装置は、ビル空調用や車載用等に用いられ、フィルタ素材として地球温暖化防止や循環型社会に寄与する生分解性素材が用いられている。
【特許文献１】特開２００４−２４３２３３号公報
【発明の開示】
【発明が解決しようとする課題】
【０００５】
従来のフィルタ装置によれば、生分解性素材をフィルタ素材として用いた場合、そのフィルタ性能を向上させるにあたってのフィルタ装置の構成や、このフィルタ装置の好適する使用形態について開示されていなかった。
【０００６】
本発明は、上記の事情に鑑みてなされたもので、生分解性素材をフィルタ素材として用いて地球環境に対して公害をもたらさない一方で、フィルタ性能の一層の向上図った電子機器シャーシを提供することを目的とする。
【０００７】
また、本発明の他の目的は、上記電子機器シャーシを用いるに好適する電子機器ラック装置を提供することを目的とする。
【課題を解決するための手段】
【０００８】
上記目的を達成するために、本発明によれば、電子機器を装備する電子機器シャーシ本体と、この電子機器シャーシ本体の前方に設けたフィルタ装置とを具備し、前記電子機器シャーシ本体は、前記フィルタ装置を取り付ける開口を備え、前記フィルタ装置は、前記開口を通して取り付けられるフィルタケースと、このフィルタケースに着脱自在に取り付けられ、天然繊維を素材として形成される編み目の大きい第１のフィルタ、この第１のフィルタの後方に位置する編み目の小さい第２のフィルタおよびこの第２のフィルタの後方に位置するファン装置とを備えたことを特徴とする電子機器シャーシを提供する。
【０００９】
上記目的を達成するために、本発明によれば、電子機器を装備する電子機器シャーシ本体と、この電子機器シャーシ本体の前方に設けたフィルタ装置と、前記電子機器シャーシ本体の後方に設けられたファン装置とを具備し、前記フィルタ装置は、前記電子機器シャーシ本体の前方に設けられる開口を通して取り付けられるフィルタケースと、このフィルタケースに着脱自在に取り付けられ、天然繊維を素材として形成される編み目の大きい第１のフィルタおよびこの第１のフィルタの後方に位置する編み目の小さい第２のフィルタとを備えたことを特徴とする電子機器シャーシを提供する。
【００１０】
上記目的を達成するために、本発明によれば、電子機器を装備する複数の電子機器シャーシと、この複数の電子機器シャーシを収納する電子機器ラック本体とを具備し、前記複数の電子機器シャーシは、それぞれの電子機器シャーシ本体の前方に設けられたフィルタ装置を備え、前記フィルタ装置は、前記電子機器シャーシ本体に直接取り付けられるフィルタケースと、このフィルタケースに着脱自在に取り付けられ、天然繊維を素材として形成される編み目の大きい第１のフィルタ、この第１のフィルタの後方に位置する編み目の小さい第２のフィルタおよびこの第２のフィルタの後方に位置するファン装置とを備え、前記電子機器ラック本体には、前記ファン装置により吸入された外気を前記電子機器ラック本体内から外へ放出する排気孔を設けたことを特徴とする電子機器シャーシを用いた電子機器ラック装置を提供する。
【００１１】
上記目的を達成するために、本発明によれば、電子機器を装備する複数の電子機器シャーシと、この複数の電子機器シャーシを収納する電子機器ラックとを具備し、前記それぞれの電子機器シャーシは、この電子機器シャーシ本体の前方に設けられたフィルタ装置と、前記電子機器シャーシ本体の後方に設けられたファン装置とを備え、前記フィルタ装置は、前記電子機器シャーシ本体に直接取り付けられるフィルタケースと、このフィルタケースに着脱自在に取り付けられ、天然繊維を素材として形成される編み目の大きい第１のフィルタおよびこの第１のフィルタの後方に位置する編み目の小さい第２のフィルタとを備え、前記電子機器ラックには、前記複数の電子機器シャーシのそれぞれのファン装置により吸入された外気を前記電子機器ラック内から外へ放出する排気孔を設けたことを特徴とする電子機器シャーシを用いた電子機器ラック装置を提供する。
【発明の効果】
【００１２】
本発明によれば、フィルタ装置のフィルタとして、自然環境に配慮した、ケナフ材等の天然繊維を素材として、繊維を編み目大きいフィルタおよび編み目の小さいフィルタを用いることにより、塵埃の電子機器への浸入が阻止されて故障を防止すると共に電子機器からの発熱を吸収して冷却作用をなさしめる一方で、このフィルタ装置を備えた電子機器シャーシとすることで、フィルタ装置の交換時にあたって、フィルタ装置の全体または一部を地上あるいは地中に廃棄した際にも公害をもたらす事のない優れた電子機器シャーシを提供することができる。
【００１３】
また、電子機器シャーシを電子機器ラックに適用することにより、吸気時に電子機器からの発熱をより一層吸収して冷却作用をなさしめる一方で、このフィルタ装置を備えた電子機器シャーシとすることで、フィルタ装置の交換時にあたって、フィルタ装置の全体または一部を地上あるいは地中に廃棄した際にも公害をもたらす事のない優れた電子機器シャーシを用いた電子機器ラック装置を提供することができる。
【発明を実施するための最良の形態】
【００１４】
本発明に係る電子機器シャーシの実施形態について、添付図面を参照して説明する。
【００１５】
図１は本発明の電子機器シャーシ２０Ａの実施形態の概要を示す斜視図である。図２は本発明の電子機器シャーシ２０Ａに用いられるフィルタ装置２３Ａの斜視図である。図３は図２のＡ−Ａ線に沿う拡大断面図である。図４は本発明の電子機器シャーシ２０Ａに用いるフィルタ組立体２５の分解斜視図である。
【００１６】
図１に示す電子機器シャーシ２０Ａは、前・後方を開口する矩形筒状の電子機器シャーシ本体２１と、このシャーシ本体２１の前方開口を塞ぐように設けられるシャーシ前板２１ａと、このシャーシ前板２１ａの中央部において前方へ張り出して取り付けられるフィルタ装置２３Ａと、このフィルタ装置２３Ａの後方に位置の電子機器シャーシ本体２１内に設けられる電子機器組立体３０とから構成される。
【００１７】
電子機器シャーシ本体２１は、例えばアルミニウム製等の比較的熱伝導性の良好な板体により形成される。シャーシ前板２１ａは、電子機器シャーシ本体２１の矩形状の開口よりやや大きめの矩形状板体で、中央部にフィルタ装置２３Ａを貫通して取り付ける開口２１ａ１が設けられる。
【００１８】
フィルタ装置２３Ａは、図２および図３に示すように、電子機器シャーシ本体２１の開口２１ａ１に取り付けられる外枠２４と、この外枠２４内に嵌め込んで設けられるフィルタ組立体２５と、このフィルタ組立体２５の後方位置にあって外枠２４内に設けられるファン装置２６とから構成される。このフィルタ装置２３Ａは、電子機器シャーシ本体２１のシャーシ前板２１ａの開口２１ａ１に、前方が僅かに張り出した状態で固定される。
【００１９】
外枠２４は、図３に示すように、シャーシ前板２１ａの中央部の開口２１に嵌着された外形状を有する筒状のものである。
【００２０】
フィルタ組立体２５は、図４に示すように、フィルタケース２５ａと、このフィルタケース２５ａに着脱自在に取り付けられ、外気ａ１を吸入する側に天然繊維を素材として形成された編み目の大きい第１のフィルタ２５ｂが、続いて編み目の小さい第２のフィルタ２５ｃが配置される。
【００２１】
フィルタケース２５ａは、図３および図４に示すように、第１のフィルタ２５ｂおよび第２のフィルタ２５ｃを着脱自在に収納し、容易に脱落しないように両開口側にフランジ部２５ａ１を設けている。
【００２２】
第１のフィルタ２５ｂは、フィルタケース２５ａの前方位置に設けられる。この第１のフィルタ２５ｂは、天然繊維にポリ乳酸を混入して形成されたもので、外気を吸入する前方位置にあって、比較的大きめの塵埃を捕集するに適するように設けられる。この第１のフィルタ２５ｂは、例えば編み目の幅が、例えば０．５ｍｍ程度が好ましい。
【００２３】
第２のフィルタ２５ｃは、フィルタケース２５ａと所要の間隔ｌをとって後方位置に設けられる。この第２のフィルタ２５ｃは、第１のフィルタ２５ｂと同様に、天然繊維にポリ乳酸を混入して形成されたもので、第１のフィルタ２５ｂを通過した後、残余の比較的小さめの塵埃を捕集するに適するように設けられる。この第２のフィルタ２５ｃは、例えば編み目の幅が、例えば０．１ｍｍ程度が好ましい。
【００２４】
また、各フィルタ２５ｂ，２５ｃの素材として、二酸化炭素の吸収率の高いケナフ材（樹木の幹から繊維を採取）を用いることができる。このケナフ材を用いた場合には、塵埃の除去が可能である上に、強度不足の場合には、天然繊維ととうもろこし等の繊維を原料としたポリ乳酸を混入することで適度に補強することができる。フィルタケース２５ａについても同様に天然繊維を素材として形成し、フィルタ２５ｂ，２５ｃの素材と同様に酸化炭素の吸収率の高いケナフ材（樹木の幹から繊維を採取）を用いることができる。
【００２５】
ファン装置２６は、外枠２４の後方内壁に中心部に向かう複数のファンモータ支持枠２６ａが延出して設けられる。このファンモータ支持枠２６ａの延出部にはファンモータ２６ｂが取り付けられる。また、ファンモータ２６ｂには、送風ファン２６ｃが取り付けられる。
【００２６】
電子機器組立体３０は、図１に示すように、シャーシ前板２１ａに取り付けられるフィルタ装置２３Ａの後方位置の電子機器シャーシ本体２１内後部において、電子機器組立体ホルダ３１にて高さ調整がなされて設置される。すなわち、この電子機器組立体３０は、図示しない電子回路基板が複数設けられ、ファン装置２６が作動することにより吸入される外気ａ１が各基板間を流通して、電子回路基板からの発熱が吸収される位置関係に配置される。
【００２７】
次に、電子機器シャーシ２０Ａの作用について図１〜図３を参照して説明する。
【００２８】
図１に示す電子機器シャーシ２０Ａのフィルタ装置２３Ａが始動することによりファン装置２６が作動する。ファン装置２６が作動すると、図１に示すように、電子機器シャーシ２０Ａの前方から外気ａ１がフィルタ装置２３Ａ内へ吸入される。外気ａ１がフィルタ装置２３Ａ内へ吸入されると、図３に示すようにフィルタ組立体２５の第１のフィルタ２５ｂが最初に外気ａ１を吸入し、比較的大きめの塵埃を捕集する。比較的大きめの塵埃が除去された外気ａ２は、所要の間隔ｌを介して第２のフィルタ２５ｃに吸入されて比較的小さめの塵埃が捕集される。
【００２９】
なお、この所要の間隔ｌが存在することにより、この間隔ｌ内に流入する外気ａ２が常に一定量貯留されることから、外気ａ２が第２のフィルタ２５ｃ側へ流入する過程で流量を一定化する作用が得られる。
【００３０】
次に、比較的小さめの塵埃が捕集されたクリーンな外気ａ３は、ファン装置２６を通して後方へ放出され、図１に示すように、電子機器組立体３０の内部および外部を流通する。この時外気ａ３は、電子機器組立体３０からの発熱を吸収した外気ａ４となって電子機器シャーシ本体２１の後方側から外部へ放出される。従って、電子機器シャーシ２０Ａの電子機器組立体３０は、クリーンな外気ａ３が流入することにより、電子回路基板からの発熱が吸収される際に電子機器組立体３０の電子回路基板へ塵埃が混入して電子回路基板の性能に悪影響を及ぼしたりすることがなくなる。
【００３１】
また、この電子機器組立体３０は、ファン装置２６により局部的に外気ａ３に曝された状態に設置されるので、外気ａ３による電子機器組立体３０に対する冷却効率をより一層向上させることができる。
【００３２】
更にまた、電子機器シャーシ２０Ａのファン装置２６は、フィルタ組立体２５の第１および第２のフィルタ２５ｂ，２５ｃとして、それぞれ天然繊維を素材として形成させ、酸化炭素の吸収率の高いケナフ材を採用可能にしたから、ファン装置２６に用いるフィルタ装置２３Ａの全体または一部を地上あるいは地中に廃棄した際にも公害をもたらすことのない自然環境、地球環境に適合したものにすることができる。
【００３３】
次に、電子機器シャーシ２０Ａを用いた電子機器ラック装置４０について図５および図６を参照して説明する。図５は本発明の電子機器ラック装置４０の一部を切除して示す斜視図である。図６は、図５のＢ−Ｂ線に沿う拡大断面図である。
【００３４】
図５に示す電子機器ラック装置４０は、電子機器を装備する複数の電子機器シャーシ２０Ａと、この複数の電子機器シャーシ２３Ａを収納する電子機器ラック本体４１を備える。
【００３５】
複数の電子機器シャーシ２０Ａは、それぞれの電子機器シャーシ本体２１の前方に設けられたフィルタ装置２３Ａと、電子機器シャーシ本体２１の後方に設けられたファン装置２６とを備える。このフィルタ装置２６は、電子機器シャーシ本体２１に直接取り付けられるフィルタケース２５ａと、このフィルタケース２５ａに着脱自在に取り付けられ、天然繊維を素材として形成される編み目の大きい第１のフィルタ２５ｂ、この第１のフィルタ２５ｂの後方に位置する編み目の小さい第２のフィルタ２５ｃおよびこの第２のフィルタ２５ｃの後方に位置するファン装置２６とを備える。
【００３６】
電子機器ラック本体４１には、複数の電子機器シャーシ２０Ａのそれぞれのファン装置２６により吸入された外気ａ１を外部へ放出するために天井部および背面部に排気孔４１ａが設けられる。この排気孔４１ａは、排気される外気ａ４の風量や温度に応じて電子機器ラック本体４１の天井部および背面部の何れか一方にのみ設けた構成であってもよい。
【００３７】
なお、電子機器シャーシ２３Ａは、上述した図１〜図４に示す電子機器シャーシ２３Ａの構成と同様であるので説明を省略する。
【００３８】
次に、電子機器ラック装置４０の作用について図５および図６を参照して説明する。
【００３９】
電子機器シャーシ２０Ａのフィルタ装置２３Ａが始動することによりファン装置２６が作動する。ファン装置２６が作動すると、前方から外気ａ１が吸入され、フィルタ組立体２５を通してクリーンな外気ａ３が電子機器シャーシ２１内に導かれ、電子機器組立体３０と熱交換した外気ａ４となる。そして、電子機器シャーシ本体２１から外部へ放出された外気ａ４は、図６に示すように、電子機器ラック本体４１の上部に集積され複数の排気孔４１ａから分散して外部へ放出される。従って、複数の電子機器シャーシ２０Ａのそれぞれの電子機器組立体３０は、クリーンな外気ａ３が流入することにより、電子回路基板からの発熱が吸収される際に電子機器組立体３０の電子回路基板へ塵埃が混入して電子回路基板の性能に悪影響を及ぼしたりすることがなくなる。
【００４０】
また、この電子機器組立体３０は、ファン装置２６により局部的に外気ａ３に曝された状態に設置されるので、外気ａ３による電子機器組立体３０に対する冷却効率をより一層向上させることができる。
【００４１】
更には、複数の電子機器シャーシ２０Ａのそれぞれの電子機器組立体３０から放出された発熱は、電子機器ラック本体４１の上部に煙突作用を得ながら集積されるので複数の排気孔４１ａから分散して効果的に外部へ放出することができる。
【００４２】
更にまた、電子機器シャーシ２０Ａのファン装置２６は、フィルタ組立体２５の第１および第２のフィルタ２５ｂ，２５ｃとして、それぞれ天然繊維を素材として形成させ、酸化炭素の吸収率の高いケナフ材を採用可能にしたから、ファン装置２６に用いるフィルタ装置２３Ａの全体または一部を地上あるいは地中に廃棄した際にも公害をもたらすことのない自然環境、地球環境に適合したものにすることができる。
【００４３】
なお、電子機器ラック装置４０に設けられたフィルタ装置２３Ａは、ファン装置２６を一体的に設けた構成にしたが、かならずしもこの構成に限らず、ファン装置２６を電子機器シャーシ本体２１後方の電子機器組立体３０の近傍位置に設置した電子機器ラック装置５０を採用してもよい。
【００４４】
電子機器シャーシ２０Ｂを用いた電子機器ラック装置５０の構成を図７に示す。この電子機器ラック装置５０（図６と同一部分には同一符号を付した）は、電子機器シャーシ２０Ｂの電子機器シャーシ本体２１において、その後方においてファン装置２７が設けられ、前方にはフィルタ装置２３Ｂが設けられる。この構成により、ファン装置２７により吸引した外気ａ１がフィルタ装置２３Ｂを通過し、外気ａ３が生成される。そして、この外気ａ３が電子機器組立体３０の発熱を吸収した外気ａ４となり電子機器シャーシ本体２１から電子機器ラック本体４１側へ排出させるようになっている。
【００４５】
なお、フィルタ装置２３Ｂのファン装置２７は、ファン装置２６と同様構成であって、電子機器シャーシ本体２１の後方内壁に中心部に向かう複数のファンモータ支持枠２７ａが延出して設けられる。このファンモータ支持枠２７ａの延出部にはファンモータ２７ｂが取り付けられる。また、ファンモータ２７ｂには、送風ファン２７ｃが取り付けられる。
【００４６】
この電子機器ラック装置５０によれば、フィルタ装置２３Ｂのファン装置２７が、電子機器組立体３０の発熱を吸収した状態の外気ａ４を電子機器ラック本体４１の上部へ強制循環させるので、電子機器ラック本体４１から外部への放熱作用効果がより一層優れたものとなる。従って、特に電子機器組立体３０の発熱量が多い場合や発熱温度が相当に高い場合の条件下で用いる場合に好適する。
【図面の簡単な説明】
【００４７】
【図１】本発明の電子機器シャーシの実施形態の概要を示す斜視図。
【図２】本発明の電子機器シャーシに用いられるフィルタ装置の斜視図。
【図３】図２のＡ−Ａ線に沿う拡大断面図。
【図４】本発明の電子機器シャーシに用いるフィルタ組立体の分解斜視図。
【図５】本発明の電子機器ラック装置の一部を切除して示す斜視図。
【図６】図５のＢ−Ｂ線に沿う拡大断面図。
【図７】本発明の電子機器ラック装置に装着される電子機器シャーシの他の実施例を示し、電子機器ラック装置に装着した状態における一部縦断側面図。
【符号の説明】
【００４８】
２０Ａ，２０Ｂ  電子機器シャーシ
２１  電子機器シャーシ本体
２１ａ  シャーシ前板
２１ａ１  開口
２３Ａ，２３Ｂ  フィルタ装置
２４  外枠
２５  フィルタ組立体
２５ａ  フィルタケース
２５ａ１  フランジ部
２５ｂ  第１のフィルタ
２５ｃ  第２のフィルタ
２６，２７  ファン装置
２６ａ，２７ａ  ファンモータ支持枠
２６ｂ，２７ｂ  ファンモータ
２６ｃ，２７ｃ  送風ファン
３０  電子機器組立体
３１  電子機器組立体ホルダ
４０，５０  電子機器ラック装置
４１  電子機器ラック本体
４１ａ  排気孔
【図１】
2008117852.tif 000003
【図２】
2008117852.tif 000004
【図３】
2008117852.tif 000005
【図４】
2008117852.tif 000006
【図５】
2008117852.tif 000007
【図６】
2008117852.tif 000008
【図７】
2008117852.tif 000009